(57)【特許請求の範囲】
【請求項１】
脚によって支持された支基と、前記支基における前部に、左右方向を向く枢軸をもって枢着され、後部が上下方向に回動可能とした座と、前記支基に設けられ、かつ座における前記枢軸より後部を上向きに付勢する付勢手段と、前記座の後部に左右方向を向く支軸をもって枢着された背凭れと、下部が前記支基に、前後方向において、前記枢軸と前記支軸との間に連結され、かつ上部が前記座の外側方より起立する肘掛けとを備え、さらに前記肘掛けの後面を、後上向きに傾斜した形状とし、着座時に肘掛けの下部ほど、背凭れとの間隔が広がるようにしたことを特徴とする肘掛け付き椅子。
【請求項２】
前記支基を、平面視において前方に向かって拡開する形状とするとともに、側面視において前上方に向かって傾斜させ、前記肘掛けを前記支基の前部における側面に連結した請求項１記載の肘掛け付き椅子。
【請求項３】
前記肘掛けを、正面視内向きＬ字状の肘掛け支柱と、肘掛け支柱の上端面に設けられた肘当て部材とを備えるものとし、前記肘掛け支柱を、前記支基から前記座の下方を通って、前記座の外側方から上方に起立するようにした請求項１または２に記載の肘掛け付き椅子。
【発明の詳細な説明】
【技術分野】
【０００１】
本発明は、肘掛け付き椅子、特に、不使用状態では、座の後部が持ち上がり、着座者が着座する際には、座が、着座者の臀部に当接して、臀部とともにほぼ水平位置まで回動することにより、着座を誘導し、着座者が立上がる際には、座の後部が持ち上がって、起立を補助するようにした肘掛け付き椅子に関する。
【背景技術】
【０００２】
この種の椅子としては、座を椅子の下部構成体に対して後上向きに傾斜する不使用位置と、水平、または後下向きに傾斜する使用位置との間を回動可能として支持するとともに、座を不使用位置に向けて付勢する付勢手段を設け、座の後部に背凭れを設けたものがある(例えば特許文献１参照)。
一方、肘掛けを座に連結したものもある(例えば特許文献２参照)。
【先行技術文献】
【特許文献】
【０００３】
【特許文献１】特開２０１０−１０４４６３号公報
【特許文献２】特許第３１５６１１５号公報
【発明の概要】
【発明が解決しようとする課題】
【０００４】
特許文献１に記載されているような、不使用状態と使用状態との間において、座の後部が回動する椅子にも、肘掛けを設けるのが望ましい。しかし、特許文献１のような椅子に、特許文献２のように、肘掛けを座に取り付けた場合、着座者が座に着座して机の下に肘掛けを入れている状態から立上がるときに、座の後部が上方へ回動するのに伴い、肘掛けも上方に移動し、肘掛けが机の天板に当接する虞がある。
【０００５】
本発明は、上記問題点に鑑みてなされたもので、座の後部が回動する場合に、肘掛けを安全に使用できる肘掛け付き椅子を提供することを目的としている。
【課題を解決するための手段】
【０００６】
本発明によると、上記課題は、次のようにして解決される。
（１）  脚によって支持された支基と、前記支基における前部に、左右方向を向く枢軸をもって枢着され、後部が上下方向に回動可能とした座と、前記支基に設けられ、かつ座における前記枢軸より後部を上向きに付勢する付勢手段と、
前記座の後部に左右方向を向く支軸をもって枢着された背凭れと、下部が前記支基に、前後方向において、前記枢軸と前記支軸との間に連結され、かつ上部が前記座の外側方より起立する肘掛けとを備え、さらに前記肘掛けの後面を、後上向きに傾斜した形状とし、着座時に肘掛けの下部ほど、背凭れとの間隔が広がるようにしたことを特徴とする肘掛け付き椅子とする。
【０００７】
このような構成とすると、座の後部が上下方向に回動しても、支基に連結された肘掛けの高さは変化しない。したがって、着座者が座から立上がるときに、肘掛けが机の天板等と当接することがなくなるので、椅子を安全に使用できる。
また、背凭れが、座の後部に左右方向を向く支軸をもって枢着されているため、背凭れが座と一体的に移動する。さらに、肘掛けの下部が、支基に、前後方向において、枢軸と支軸との間に連結されているため、肘掛けの連結部を肉厚の大きな部材で構成して、強度を高くすることができる。これにより、肘掛けが支基から脱落しないようにすることができる。さらに前記肘掛けの後面を、後上向きに傾斜した形状とし、着座時に肘掛けの下部ほど、背凭れとの間隔が広がるようにしたことにより、着座者の手や、衣服が近接することの多い肘掛けの下部と背凭れとの間の隙間に、手や物を挟む危険性を低減することができる。
【０００８】
（２）上記(１)項において、前記支基を、平面視において前方に向かって拡開する形状とするとともに、側面視において前上方に向かって傾斜させ、前記肘掛けを前記支基の前部における側面に連結する。
【０００９】
このような構成とすると、肘掛けにおける着座者が肘を掛ける部分と、肘掛けの支基に対する連結部との間における水平方向の距離を比較的短くできるので、肘掛けに着座者による荷重が作用した場合に、肘掛けの支基との連結部に作用する曲げモーメントを小さくできる。したがって、肘掛けが支基から脱落しないようにできる。また、肘掛けを支基の後部より上にある前部に連結するので、肘掛けを支基の後部に連結した場合に比べて、肘掛けの上下方向の長さを短くすることができる。
【００１０】
（３）上記(１)項または(２)項において、前記肘掛けを、正面視内向きＬ字状の肘掛け支柱と、肘掛け支柱の上端面に設けられた肘当て部材とを備えるものとし、前記肘掛け支柱を、前記支基から前記座の下方を通って、前記座の外側方から上方に起立するようにする。
【００１１】
このような構成とすると、支基に連結した肘掛けを、座の下面および側面から離間させることができるので、肘掛けが座の回動を阻害しないようにできる。
【発明の効果】
【００１２】
本発明によると、座の後部が上下方向に回動したとき、支基に連結された肘掛けの高さは変化しないので、肘掛けを安全に使用できる。また、背凭れが、座の後部に左右方向を向く支軸をもって枢着されているため、背凭れが座と一体的に移動する。
【図面の簡単な説明】
【００１３】
【図１】本発明の肘掛け付き椅子の一実施形態の不使用状態における正面図である。
【図２】同じく、側面図である。
【図３】同じく、使用状態における側面図である。
【図４】同じく、使用状態において、背凭れを後傾させたときの側面図である。
【図５】図２におけるV−V線より見た支基と肘掛けとの連結構造を示す拡大平面図である。
【図６】図２におけるVI−VI線拡大断面図である。
【発明を実施するための形態】
【００１４】
以下、本発明の一実施形態を、添付図面に基づいて説明する。
図１および図２に示すように、この肘掛け付き椅子は、先端部にキャスタ１を備える放射状をなす５本の脚杆２を有する脚体３を備えている。脚体３の中央には、ガススプリング(図示略)を備える伸縮式の脚柱４が立設され、脚柱４の上端には、前方を向く支基５の後部が固着されている。
【００１５】
支基５は、前方に向かって拡開する平面視三角形の浅い皿状(図５参照)をなすとともに、側面視において前上方に向かって傾斜している。また、支基５は、前方より見て上向きコ字状をなし、前方に開口しているので、支基５への部材の取付け作業時に、側方や後方だけでなく、前方からも部材や工具等を挿入し易いようになっている。
【００１６】
座６は、合成樹脂製の座板７と、その上面に取付けられたクッション材８とからなり、座板７の前端両側部を、支基５の前端両側部に左右方向を向く枢軸９をもってそれぞれ枢着することにより、後上向きに傾斜する不使用位置と、図３に示すように、水平、または後下向きに傾斜する使用位置とに、枢軸９を中心として回動可能である。この回動範囲は、ほぼ１５度程度とするのが好ましい。
座６は、付勢手段１０により、常時不使用位置に向かって上向きに付勢されている。
【００１７】
図２に示すように、座板７の後部両側には、背凭れ１１の下部両側を前方に折曲した部分の前部が、左右方向を向く支軸１２をもってそれぞれ枢着され、背凭れ１１は、図２および図３に示すように、ほぼ上方を向く起立位置と、図４に示すような後傾位置とに、支軸１２を中心として回動可能である。なお、この背凭れ１１およびその枢着部分の具体的な構造については、本発明と直接関係しないので、その詳細な図示および説明は省略する。
【００１８】
図２に示すように、支基５における後部と、背凭れ１１における上記支軸１２より下方の部分とは、前後方向を向く弾性伸縮可能の押動杆１３により連結されている。
座６の不使用位置から使用位置(図３参照)への下向き回動時に、この押動杆１３により、背凭れ１１の下端部が後方に押動されて、背凭れ１１は起立状態に維持され、また押動杆１３が弾性収縮することにより、背凭れ１１は、この押動杆１３の弾性復元力に抗して、図４に示すように、後傾させることができる。
【００１９】
図２および図５に示すように、支基５の拡開した前部における両側面５ａの枢軸９より後方には、肘掛け１４が連結されている。この肘掛け１４は、図１に示すように、支基５から座６の下方を通って、座６の外側方から上方に起立するようにした正面視内向きＬ字状をなす肘掛け支柱１５と、肘掛け支柱１５の上端に固着された比較的柔らかい肘当て部材１６とからなっている。
【００２０】
座６の下方において左右方向を向く肘掛け支柱１５の下部における先端部は、図６に示すように、二股に分かれた嵌合凸部１７ａ、１７ｂを、支基５の外側面５ａにおける二つの嵌合凹部１８ａ、１８ｂに嵌合し、肘掛け支柱１５の下側面に設けた座グリ用の凹部１９から、嵌合凸部１７ａ、１７ｂの間の貫通穴２０に挿入したねじ２１を、嵌合凹部１８ａ、１８ｂの間のボス２２に設けたねじ穴２３に羅合することにより、支基５に固着してある。
【００２１】
図２に示すように、肘掛け支柱１５における座６の側方より起立する部分は、側面視において前後方向の幅が上方に向かって漸次大きくなるほぼ三角形の枠状をなしている。肘掛け支柱１５の上部後面は、側面視において背凭れ１１の側部前面とほぼ同様な曲面で後上向きに傾斜している。
【００２２】
以上のような構成とした肘掛け付き椅子は、図２に示す不使用状態では、付勢手段１０の付勢力によって、座６の後部が上方に持ち上げられ、座６は後上向き傾斜する不使用位置に位置しており、背凭れ１１は、押動杆１３の伸長により、ほぼ上方を向く起立位置に保持されている。
【００２３】
また、図２の不使用状態においては、肘掛け１４における肘掛け支柱１５の上部後面と、背凭れ１１の側部前面との間には、平面視において、着座者が手を後方に移動させた際に、その手を挟まない程度の隙間が設けられている。図１に示すように、左右の肘掛け１４、１４における肘掛け支柱１５、１５と、座６の下面および側面との間にも、隙間が設けられている。したがって、肘掛け１４が、座６の回動を阻害することはない。
【００２４】
この状態で、着座者が着座すると、座６は着座者の荷重により、付勢手段１０の付勢力に抗して、図３に示す使用位置まで回動させられ、着座者は迅速に適正な着座姿勢を取ることができる。このときには、座６に取り付けられている背凭れ１１も、押動杆１３の付勢力に抗して後下方へ移動する。肘掛け１４の後面は、後上向きに傾斜しているため、背凭れ１１が後下方へ移動すると、着座者の手や、衣服が近接することの多い肘掛け１４の下部ほど、背凭れ１１との間隔が広がる。したがって、この隙間に、手や物を挟む危険性を低減できる。
【００２５】
図３に示す着座状態から、着座者が背中を背凭れ１１に凭せかけて背を後方に倒すと、背凭れ１０は、押動杆１３を弾性収縮させつつ、支軸１２を中心として、図４に示すような後傾位置まで回動させられる。
【００２６】
着座者が背中を前方に戻すと、背凭れ１１は、押動杆１３の弾性復元力による伸長によって、支軸１２を中心として前方に回動させられ、元の起立位置まで戻される。
【００２７】
図３に示す着座状態から、着座者が立上がろうとすると、座６は、付勢手段１０によって不使用位置に向かって上向き回動するように付勢され、着座者の起立をアシストすることができる。
【００２８】
このとき、座６および背凭れ１１は、図２のような不使用位置に移動するが、肘掛け１４は支基５に連結されているので、その高さは変わらない。
したがって、例えば、着座者が座６に着座して、机の天板の下に肘掛け１４を入れている状態から、着座者が立上がった場合でも、肘掛け１４と机の天板との間隔は変わらず、肘掛け１４が天板に当接することがなく、肘掛け１４を安全に使用できる。
【符号の説明】
【００２９】
１  キャスタ
２  脚杆
３  脚体
４  脚柱
５  支基
５ａ  側面
６  座
７  座板
８  クッション材
９  枢軸
１０  付勢手段
１１  背凭れ
１２  支軸
１３  押動杵
１４  肘掛け
１５  肘掛け支柱
１６  肘当て部材
１７ａ、１７ｂ  嵌合凸部
１８ａ、１８ｂ  嵌合凹部
１９  凹部
２０  穴
２１  ねじ
２２  ボス
２３  ねじ穴
【図１】
0005635362.tif 000002
【図２】
0005635362.tif 000003
【図３】
0005635362.tif 000004
【図４】
0005635362.tif 000005
【図５】
0005635362.tif 000006
【図６】
0005635362.tif 000007